(57)【特許請求の範囲】
【請求項１】
携帯型の電話機等の情報通信機に着脱自在に装着し、情報通信機によって画像・映像信号を送受信するためのアダプタにおいて、
前記情報通信機には、平板状の操作部と、その操作部の一端側に設けたコネクタとを備え、
前記アダプタには、前記情報通信機の電源電池とは別の電源電池と、撮像部とを備え、
さらに、このアダプタには、前記操作部に重ね合わせる平面部と、前記操作部の両サイド部を案内して嵌入させ前記平面部を前記操作部に重合させて装着するガイドレ−ルと、前記操作部に装着することにより前記コネクタに電気接続し前記情報通信機と送受信するコネクタピンと、前記平面部に凹状部として形成した電池電源の電池収納部とを備え、
前記アダプタを装着することによって情報通信機の前記操作部により前記電池収納部の開放口を閉塞させる構成としたことを特徴とする携帯型情報通信機のアダプタ。
【発明の詳細な説明】
【０００１】
【発明の属する技術分野】
この発明は、携帯電話機やＰＨＳ電話機などの携帯型情報通信機に着脱自在に装着し、画像・映像信号を送受信するためのアダプタに関し、具体的には、蓋体を特に要せず、また、装置構成の薄型化に有利な電池収納部を備えたアダプタに係る。
【０００２】
【従来の技術】
携帯型情報通信機である携帯電話器やＰＨＳ電話機は送受話専用機であるため、画像・映像信号を送受信することができないが、今日では、パソコンやデジタルカメラから画像・映像信号を携帯型の電話機に入力し、この電話機により画像・映像信号を送受信する通信システムが開発されている。
【０００３】
また、撮像機能と画像・映像信号の処理機能とを備えたアダプタを携帯型の電話機に装着し、アダプタと情報通信機の間で画像・映像信号を直接授受させ、画像・映像信号を電話機によって送信し、また、受信し、携帯型の電話機相互間で画像・映像信号を送受信できるようにしたアダプタ付の電話機が開発されている。
このような電話機は、受信した画像・映像を表示し、また、送信する画像・映像をモニタできる表示装置を備えている。
【０００４】
【発明が解決しようとする課題】
画像・映像信号を送受信するための上記したアダプタは電話機に装着し携帯するために、可能なるかぎり小形、軽量であることが望ましい。
【０００５】
しかしながら、このアダプタには、撮像回路や撮像信号を圧縮、伸長、変復調などの処理をする信号処理回路を備えているため、これら各回路によって消費される電力量が多くなるから、電話機電源を共用することができない。
このことから、数本の乾電池を電源として備えることになるために、電源電池の収納位置とそのスペ−スが小形化の構造上において大きな問題となる。
【０００６】
本発明は上記した実情にかんがみ、この種のアダプタの小形薄型化に適し、そ上、蓋体などの部品を必要としない電池収納部を設けることによって、画像・映像通信のための携帯型情報通信機に最適なアダプタを提供することを目的とする。
【０００７】
【課題を解決するための手段】
上記した目的を達成するために本発明は、携帯型の電話機等の情報通信機に着脱自在に装着し、情報通信機によって画像・映像信号を送受信するためのアダプタに関する。
【０００８】
そして、このアダプタは、前記情報通信機には、平板状の操作部と、その操作部の一端側に設けたコネクタとを備え、前記アダプタには、前記情報通信機の電源電池とは別の電源電池と、撮像部とを備え、さらに、このアダプタには、前記操作部に重ね合わせる平面部と、前記操作部の両サイド部を案内して嵌入させ前記平面部を前記操作部に重合させて装着するガイドレ−ルと、前記操作部に装着することにより前記コネクタに電気接続し前記情報通信機と送受信するコネクタピンと、前記平面部に凹状部として形成した電池電源の電池収納部とを備え、前記アダプタを装着することによって情報通信機の前記操作部により前記電池収納部の開放口を閉塞させる構成となっている。
【０００９】
【作用】
本発明のアダプタは、情報通信機より取り外すことにより電池収納部が開放する。
したがって、特に開蓋しなくともその開放口から電池収納部内に電池を収納することができる。
電源電池を収納させた状態で、アダプタを情報通信機に装着すると、電源電池の開放口が情報通信機の操作部によって閉塞され、情報通信機の操作部が蓋体として作用することから、収納された電池が抜け出るようなことがない。
【００１０】
電池収納部に蓋体を設けることは、蓋体の分だけアダプタ形状の厚さが増すばかりでなく、蓋体の開閉構造が加わるために、その厚さがさらに増大し、また、蓋体の開閉構造のために電源電池の収納位置が規制されるから、各部品の配置や構造に制約を受け、アダプタ形態が大形化する。
電池収納部に蓋体を設けない本発明のアダプタはこのような問題を充分に解決している。
【００１１】
【発明の実施の形態】
次に、本発明の一実施形態について図面に沿って説明する。
図１は携帯型の電話機１０と画像・映像信号（以下、単に「映像信号」という）を送受信するためのアダプタ３０とを示す斜視図である。
【００１２】
電話機１０は公知構成のもので、偏平化した箱状の本体部１０ａと平板状の操作部１０ｂとを折り畳み式に連結してあり、使用しないときは、操作部１０ｂを本体部１０ａに重ね合せるように折り畳み、使用するときは図示するように操作部１０ｂを展開する。
【００１３】
この電話機１０は文字や映像の表示機構を備え、その表示部１１が本体部１０ａに設けてある。
また、この本体部１０ａには、受話スピ−カ１２、アンテナ１３が、さらには、図面では省略してある着信ランプ、呼出音スピ−カなどを備えている。
【００１４】
また、操作部１１ｂには、電話ダイヤルとしてのテンキ−、ファンクションキ−、オンフックスイッチなどの各々のキ−１４の他に、マイクロホン１５、音量調節・機能選択キ−１６、電源スイッチ１７が備えてある。
さらに、この操作部１１ｂの一端側には、パソコンやアダプタ等と電気接続して信号授受するためのコネクタ（ピン受け）１８が設けてある。
【００１５】
一方、アダプタ３０は、薄型の長方形となっているアダプタ本体部３０ａの一側部に撮像部３１を備えると共に、アダプタ本体部３０ａの両側にはその長手方向に沿って形成されたガイドレ−ル３２ａ、３２ｂが設けてある。
【００１６】
撮像部３１は撮影レンズを備えた筒部３１ａを有する回転筒３１ｂから構成してある。
つまり、回転筒３１ｂにはＣ−ＭＯＳ撮像素子が内装してあり、撮影レンズを通って入射した被写体像光がこの撮像素子によって電気変換され、その撮像信号がアダプタ本体部３０ａの信号処理回路に送られる。
なお、被写体像光を電気変換する撮像素子としては、Ｃ−ＭＯＳ撮像素子の他にＣＣＤ撮像素子を使用してもよい。
【００１７】
また、この回転筒３１ｂはアダプタ本体部３０ａに一体形成した支持部３３によって回動自在に支持させてある。
具体的には、回転筒３１ｂをその筒軸を中心にして回動操作することで、筒部３１ａを旋回させ撮影方向を変える構成となっている。
【００１８】
ガイドレ−ル３２ａ、３２ｂは、電話機１０が備える操作部１０ｂのサイド部を嵌入させるようにして、アダプタ３０を電話機１０に装着させるもので、操作部１０ｂが最終位置まで嵌入されると、アダプタ３０に設けたコネクタピンが操作部１０ｂのコネクタ１８に突入し、アダプタ３０が電話機１０に電気接続される。
【００１９】
なお、アダプタ３０には、撮像部３１から送られる撮像信号や電話機１０が受信した映像信号を処理する信号処理回路が備えてあり、この信号処理回路の信号出入力端としてのコネクタピンが設けてある。
なお、このコネクタピンの配置構成については図５、図６に示してある。
【００２０】
また、このアダプタ３０は、電話機１０の電源に対し別途の電源を備えている。
本実施形態では２本の乾電池３４、３５を電源電池として装備しており、これら乾電池３４、３５を収納させる電池収納部３６がアダプタ本体部３０ａの平面部３０ｂに凹状部として設けてある。
なお、このように設けた電池収納部３６は、収納された乾電池３４、３５の高さが平面部３０ｂの面に対してほぼ同じ高さとなるように形成してある。
【００２１】
なお、電話機１０にアダプタ３０を装着して送受信する場合、表示部１１の映像を見ながら送話し、また、受話する関係上、電話機１０を顔面から所定距離だけ離すように手持ちして送受信する。
そのため、このアダプタ３０には、電話機１０との間で送受話信号を授受するための回路端子手段としてジャック３７が設けてあり、マイク付のイヤホン（或いはヘッドホン）のコ−ドの先端に設けたプラグを上記ジャック３７に差し込み電気接続する。
【００２２】
図２はアダプタ３０を電話機１０に装着させた状態を示す。
このようにアダプタ３０を取付けることによって、撮像部３１により撮影した被写体像が表示部１１に映し出され、その映像信号と通話信号とが電話機１０によって送信することができ、また、相手から送られた映像信号と通話信号とを受信し、受信した映像信号に応じて表示部１１に映し出される映像を見ながら通話することができる。
なお、送信する映像が表示部１１の一方側過半部分に、受信した映像がその他方側過半部分に各々映し出される。
【００２３】
また、このようにアダプタ３０を電話機１０に装着することによって、電話機１０の操作部１０ｂがアダプタ３０の平面部３０ｂ上に重ね合わさるようになり、その操作部１０ｂが電池収納部３６の開放口を閉塞する。
このことから、電池収納部３６に収納した乾電池３４、３５の抜け出しが操作部１０ｂによって防止される。
このため、アダプタ３０には電池収納部３６の蓋体を用意する必要がない。
【００２４】
図３はアダプタ３０を電話機１０より取り外した状態を示す。
アダプタ自体を保管し、また、持ち歩くような場合、コネクタピンが何等かの原因によって折り曲げられたり、破損されるようなことがあるため、ガイドレ−ル３２ａ、３２ｂに嵌入させてコネクタピンを保持する保護カバ−５０を備えることが好ましい。
【００２５】
この保護カバ−５０は電話機１０の操作部１０ｂとほぼ同じ大きさの形状となっているが、ただ、嵌入先端側の両サイドに突出腕５０ａ、５０ｂが設けてある。
つまり、保護カバ−５０をガイドレ−ル３２ａ、３２ｂに嵌入させて押し進めてアダプタ３０に装着することにより、アダプタ３０のコネクタピンが上記の突出腕５０ａ、５０ｂ間に位置するようになる。
【００２６】
また、保護カバ−５０をアダプタに装着すると、この保護カバ−５０がアダプタ３０の平面部３０ｂと重り合うことから、電池収納部３６の開放口が保護カバ−５０によって閉塞される。
この結果、アダプタ３０のみを持ち運ぶような場合であつても、乾電池３４、３５の抜け出しが保護カバ−５０によって防止される。
【００２７】
図４は上記したところのアダプタ３０の一部切欠き正面図であり、図５は図４上のＡ−Ａ線に沿って切断した拡大断面図、図６は図４上のＢ−Ｂ線に沿って切断した拡大断面図である。
【００２８】
図示するように、アダプタ３０は合成樹脂材からなる中枠体４０の下側に金属性の皿状板体４１を、その上側に金属性のレ−ル枠体４２を各々嵌着して枠組構成してある。
そして、信号処理回路などを設けたプリント基板４３が中枠体４０（平面部３０ｂ）と皿状板体４１の間に装備し、このプリント基板４３に設けたコネクタピン３８がレ−ル枠体４２の先端側となっている幅広部分４２ａの下側に位置するようになっている。
【００２９】
また、電池収納部３６は平面部３０ｂの全幅にわたって凹面形成することなく、平面部３０ｂの一側から距離Ｄを離した位置から平面部３０ｂの他側端の間に形成してある。（図５参照）
そして、この電池収納部３６は乾電池３４、３５の同じ極性を同方向に向くようにして収納させる構成となっている。
電池収納部３６をこのように形成することにより、アダプタ３０の横幅を最大限に短寸化することができる。
【００３０】
この電池収納部３６は、図４より分かるよううに、乾電池３４、３５とレ−ル枠体４２との間に所定のスペ−スｄが生ずるから、このスペ−スｄを利用して指先を差し入れることで乾電池３４、３５を簡単に取り出すことができる。
【００３１】
また、上記の電池収納部３６は、図６に示してあるように、凹形とした底部が切欠いてあり、収納された乾電池３４、３５が皿状板体４１に突き出るようになっている。
このように形成することにより、中枠体４０の肉厚さ分だけアダプタ３０の厚さ幅を短寸化することができる。
【００３２】
図７は上記した保護カバ−５０の部分拡大図で、図８は保護カバ−５０の抜け止め部分を示す簡略拡大断面図である。
保護カバ−５０は、その突出腕５０ａ、５０ｂに図示するような小突部５０ｃを設け、この小突部５０ｃをアダプタ３０に設けた弾性板部３９の小孔３９ａに突入させるようにして保護カバ−５０の抜け止めを行なうことが好ましい。
【００３３】
以上、一実施形態について説明したが、本発明は携帯電話機やＰＨＳ電話機のアダプタにかぎらず、その他の同様の携帯型情報通信機に使用する電池収納部付のアダプタとして実施することができる。
【００３４】
【発明の効果】
上記した通り、本発明に係るアダプタは、情報通信機の操作部に重ね合わせる平面部に電源電池の出し入れ口を開放させた凹状部からなる電池収納部を設けたことから、電源電池を収納させて情報通信機の操作部に装着することにより、電池収納部の開放口が操作部によって閉塞され電源電池の抜け出しを防止することができる。
【００３５】
この結果、電池収納部の蓋体が不要となる上、蓋体を開閉させる開閉構造部を設ける必要がないことから、アダプタの厚さを可能なるかぎり薄形化することができ、また、蓋体などの部品の点数を少なくすることができる。
このことから、携帯型の情報通信機のアダプタとして最適な電池収納部を有するアダプタとなる。
【図面の簡単な説明】
【図１】携帯型の電話機とアダプタとを示す斜視図である。
【図２】電話機にアダプタを装着させた状態を示す斜視図である。
【図３】電話機より取り外したアダプタと保護カバ−とを示す斜視図である。
【図４】アダプタの一部切欠き正面図である。
【図５】図４上のＡ−Ａ線に沿って切断した拡大断面図である。
【図６】図４上のｂ−Ｂ線に沿って切断した拡大断面図である。
【図７】保護カバ−の一部を示す拡大斜視図である。
【図８】アダプタに設けた保護カバ−の抜け止め部分を示す簡略断面図である。
【符号の説明】
１０  電話機
１０ａ  本体部
１０ｂ  操作部
１１  表示部
１２  スピ−カ
１５  マイクロホン
１８  コネクタ
３０  アダプタ
３０ａ  アダプタ本体部
３１  撮像部
３２ａ、３２ｂ  ガイドレ−ル
３４、３５  乾電池
３６  電池収納部
３８  コネクタピン
５０  保護カバ−
【図１】
0003640049.tif 000002
【図２】
0003640049.tif 000003
【図３】
0003640049.tif 000004
【図４】
0003640049.tif 000005
【図５】
0003640049.tif 000006
【図６】
0003640049.tif 000007
【図７】
0003640049.tif 000008
【図８】
0003640049.tif 000009